(57)【要約】  ユーザ端末は、複数の設定グラント設定に関する設定情報であって、上りデータのＨＡＲＱ（Hybrid  Automatic  Repeat  reQuest）プロセスＩＤの導出のためのＨＡＲＱプロセスＩＤオフセット、前記上りデータの送信開始時間の導出のための開始時間オフセット、及び前記上りデータの送信電力制御（ＴＰＣ）の識別のためのＴＰＣインデックス、の少なくとも１つを含む前記設定情報を受信する受信部と、前記設定情報に基づいて、前記複数の設定グラント設定のうち、上りデータの発生タイミングに基づく１つの設定グラント設定を、前記上りデータの送信に用いる制御部と、を有する。本開示の一態様によれば、複数の設定グラントの設定を適切に行うことができる。
2020090091.tif 000002
【特許請求の範囲】
【請求項１】
複数の設定グラント設定に関する設定情報であって、上りデータのＨＡＲＱ（Hybrid  Automatic  Repeat  reQuest）プロセスＩＤの導出のためのＨＡＲＱプロセスＩＤオフセット、前記上りデータの送信開始時間の導出のための開始時間オフセット、及び前記上りデータの送信電力制御（ＴＰＣ）の識別のためのＴＰＣインデックス、の少なくとも１つを含む前記設定情報を受信する受信部と、
前記設定情報に基づいて、前記複数の設定グラント設定のうち、上りデータの発生タイミングに基づく１つの設定グラント設定を、前記上りデータの送信に用いる制御部と、を有することを特徴とするユーザ端末。
【請求項２】
前記設定情報は、前記複数のグラント設定に共通のパラメータと、前記複数の設定グラント設定に独立のパラメータと、を含むことを特徴とする請求項１に記載のユーザ端末。
【請求項３】
前記設定情報は、前記複数の設定グラント設定のそれぞれのための異なるＨＡＲＱプロセスＩＤオフセットを含むことを特徴とする請求項１又は２に記載のユーザ端末。
【請求項４】
前記設定情報は、前記複数の設定グラント設定のそれぞれのための異なる開始時間オフセットと、前記複数の設定グラント設定のための１つの開始時間オフセットと、のいずれかを含むことを特徴とする請求項１又は２に記載のユーザ端末。
【請求項５】
前記設定情報は、前記複数の設定グラント設定にそれぞれ対応する複数の同じＴＰＣインデックスと、前記複数の設定グラント設定のための１つのＴＰＣインデックスと、のいずれかを含み、
前記制御部は、下り制御情報に含まれるＴＰＣインデックスに対応する設定グラント設定に、前記下り制御情報に含まれるＴＰＣコマンドを適用することを特徴とする請求項１又は２に記載のユーザ端末。
【請求項６】
複数の設定グラント設定に関する設定情報であって、上りデータのＨＡＲＱプロセスＩＤに関するＩＤオフセット、前記上りデータの送信タイミングに関するタイミングオフセット、及び前記上りデータの送信電力制御（ＴＰＣ）に関するＴＰＣインデックス、の少なくとも１つを含む前記設定情報を受信する工程と、
前記複数の設定グラント設定のうち、上りデータの発生タイミングに基づく１つの設定グラント設定を、前記上りデータの送信に用いる工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてＬＴＥ（Long  Term  Evolution）が仕様化された（非特許文献１）。また、ＬＴＥ（３ＧＰＰ（Third  Generation  Partnership  Project）  Ｒｅｌ．（Release）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、５Ｇ（5th  generation  mobile  communication  system）、５Ｇ＋（plus）、ＮＲ（New  Radio）、３ＧＰＰ  Ｒｅｌ．１５以降などともいう）も検討されている。
【先行技術文献】
【非特許文献】
【０００４】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００５】
将来の無線通信システム（例えば、ＮＲ）では、動的グラント（dynamic  grant）を用いるスケジューリングと、設定グラント（configured  grant）を用いるスケジューリングと、が検討されている。ＵＥは、１つのセルにおいて複数の設定グラント（multi  configured  grant）が設定されることも検討されている。【０００６】
しかしながら、複数の設定グラントの設定のためのパラメータについては、まだ検討が進んでいない。複数の設定グラントの設定が適切に行われなければ、設定のオーバヘッドの増大、設定グラントに基づく送信の遅延などによって、システム性能が低下するおそれがある。【０００７】
そこで、本開示は、複数の設定グラントの設定を適切に行うユーザ端末及び無線通信方法を提供することを目的の１つとする。
【課題を解決するための手段】
【０００８】
本開示の一態様に係るユーザ端末は、複数の設定グラント設定に関する設定情報であって、上りデータのＨＡＲＱ（Hybrid  Automatic  Repeat  reQuest）プロセスＩＤの導出のためのＨＡＲＱプロセスＩＤオフセット、前記上りデータの送信開始時間の導出のための開始時間オフセット、及び前記上りデータの送信電力制御（ＴＰＣ）の識別のためのＴＰＣインデックス、の少なくとも１つを含む前記設定情報を受信する受信部と、前記設定情報に基づいて、前記複数の設定グラント設定のうち、上りデータの発生タイミングに基づく１つの設定グラント設定を、前記上りデータの送信に用いる制御部と、を有することを特徴とする。
【発明の効果】
【０００９】
本開示の一態様によれば、複数の設定グラントの設定を適切に行うことができる。
【図面の簡単な説明】
【００１０】
【図１】図１は、ユースケース１のためのＣＧ設定の一例を示す図である。
【図２】図２は、ユースケース２のためのＣＧ設定の一例を示す図である。
【図３】図３は、複数のＣＧ設定における共通パラメータ及び独立パラメータの一例を示す図である。
【図４】図４は、複数のＣＧ設定における共通パラメータ及び独立パラメータの別の一例を示す図である。
【図５】図５は、一実施形態に係る無線通信システムの概略構成の一例を示す図である。
【図６】図６は、一実施形態に係る基地局の構成の一例を示す図である。
【図７】図７は、一実施形態に係るユーザ端末の構成の一例を示す図である。
【図８】図８は、一実施形態に係る基地局及びユーザ端末のハードウェア構成の一例を示す図である。
【発明を実施するための形態】
【００１１】
＜動的グラントベース送信及び設定グラントベース送信（タイプ１、タイプ２）＞
ＮＲのＵＬ送信について、動的グラントベース送信（dynamic  grant-based  transmission）及び設定グラントベース送信（configured  grant-based  transmission）が検討されている。
【００１２】
動的グラントベース送信は、動的なＵＬグラント（dynamic  grant、dynamic  UL  grant）に基づいて、上り共有チャネル（例えば、ＰＵＳＣＨ（Physical  Uplink  Shared  Channel））を用いてＵＬ送信を行う方法である。
【００１３】
設定グラントベース送信は、上位レイヤによって設定されたＵＬグラント（例えば、設定グラント（configured  grant）、configured  UL  grantなどと呼ばれてもよい）に基づいて、上り共有チャネル（例えば、ＰＵＳＣＨ）を用いてＵＬ送信を行う方法である。設定グラントベース送信は、ＵＥに対して既にＵＬリソースが割り当てられており、ＵＥは設定されたリソースを用いて自発的にＵＬ送信できるため、低遅延通信の実現が期待できる。
【００１４】
動的グラントベース送信は、動的グラントベースＰＵＳＣＨ（dynamic  grant-based  ＰＵＳＣＨ）、動的グラントを伴うＵＬ送信（UL  Transmission  with  dynamic  grant）、動的グラントを伴うＰＵＳＣＨ（PUSCH  with  dynamic  grant）、ＵＬグラントありのＵＬ送信（UL  Transmission  with  UL  grant）、ＵＬグラントベース送信（UL  grant-based  transmission）、動的グラントによってスケジュールされる（送信リソースを設定される）ＵＬ送信などと呼ばれてもよい。
【００１５】
設定グラントベース送信は、設定グラントベースＰＵＳＣＨ（configured  grant-based  ＰＵＳＣＨ）、設定グラントを伴うＵＬ送信（UL  Transmission  with  configured  grant）、設定グラントを伴うＰＵＳＣＨ（PUSCH  with  configured  grant）、ＵＬグラントなしのＵＬ送信（UL  Transmission  without  UL  grant）、ＵＬグラントフリー送信（UL  grant-free  transmission）、設定グラントによってスケジュールされる（送信リソースを設定される）ＵＬ送信などと呼ばれてもよい。
【００１６】
また、設定グラントベース送信は、ＵＬ  セミパーシステントスケジューリング（ＳＰＳ：Semi-Persistent  Scheduling）の１種類として定義されてもよい。本開示において、「設定グラント」は、「ＳＰＳ」、「ＳＰＳ／設定グラント」などと互いに読み替えられてもよい。
【００１７】
設定グラントベース送信については、いくつかのタイプ（タイプ１、タイプ２など）が検討されている。
【００１８】
設定グラントタイプ１送信（configured  grant  type  1  transmission、タイプ１設定グラント）において、設定グラントベース送信に用いるパラメータ（設定グラントベース送信パラメータ、設定グラントパラメータなどと呼ばれてもよい）は、上位レイヤシグナリングのみを用いてＵＥに設定される。
【００１９】
設定グラントタイプ２送信（configured  grant  type  2  transmission、タイプ２設定グラント）において、設定グラントパラメータは、上位レイヤシグナリングによってＵＥに設定される。設定グラントタイプ２送信において、設定グラントパラメータの少なくとも一部は、物理レイヤシグナリング（例えば、後述のアクティベーション用下り制御情報（ＤＣＩ：Downlink  Control  Information））によってＵＥに通知されてもよい。
【００２０】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２１】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００２２】
設定グラントパラメータは、ＲＲＣのConfiguredGrantConfig情報要素を用いてＵＥに設定されてもよい。設定グラントパラメータは、例えば設定グラントリソースを特定する情報を含んでもよい。設定グラントパラメータは、例えば、設定グラントのインデックス、時間オフセット、周期（periodicity）、トランスポートブロック（ＴＢ：Transport  Block）の繰り返し送信回数（繰り返し送信回数は、Ｋと表現されてもよい）、繰り返し送信で使用する冗長バージョン（ＲＶ：Redundancy  Version）系列、上述のタイマなどに関する情報を含んでもよい。
【００２３】
ここで、周期及び時間オフセットは、それぞれ、シンボル、スロット、サブフレーム、フレームなどの単位で表されてもよい。周期は、例えば、所定数のシンボルで示されてもよい。時間オフセットは、例えば所定のインデックス（スロット番号＝０及び／又はシステムフレーム番号＝０など）のタイミングに対するオフセットで示されてもよい。繰り返し送信回数は、任意の整数であってもよく、例えば、１、２、４、８などであってもよい。繰り返し送信回数がｎ（＞０）の場合、ＵＥは、所定のＴＢを、ｎ回の送信機会を用いて設定グラントベースＰＵＳＣＨ送信してもよい。
【００２４】
ＵＥは、設定グラントタイプ１送信を設定された場合、１つ又は複数の設定グラントがトリガされたと判断してもよい。ＵＥは、設定された設定グラントベース送信用のリソース（設定グラントリソース、送信機会（transmission  occasion）などと呼ばれてもよい）を用いて、動的グラント無しでＰＵＳＣＨ送信を行ってもよい。なお、設定グラントベース送信が設定されている場合であっても、送信バッファにデータがない場合は、ＵＥは設定グラントベース送信をスキップしてもよい。
【００２５】
ＵＥは、設定グラントタイプ２送信を設定され、かつ所定のアクティベーション信号が通知された場合、１つ又は複数の設定グラントがトリガ（又はアクティベート）されたと判断してもよい。当該所定のアクティベーション信号（例えば、アクティべーション用ＤＣＩ）は、所定の識別子（例えば、ＣＳ（Configured  Scheduling）−ＲＮＴＩ（Radio  Network  Temporary  Identifier））でＣＲＣ（Cyclic  Redundancy  Check）スクランブルされるＤＣＩ（ＰＤＣＣＨ）であってもよい。なお、当該ＤＣＩは、設定グラントのディアクティベーション、再送などの制御に用いられてもよい。
【００２６】
ＵＥは、上位レイヤで設定された設定グラントリソースを用いてＰＵＳＣＨ送信を行うか否かを、上記所定のアクティベーション信号に基づいて判断してもよい。ＵＥは、設定グラントをディアクティベートするＤＣＩ又は所定のタイマの満了（所定時間の経過）に基づいて、当該設定グラントに対応するリソース（ＰＵＳＣＨ）を解放（リリース（release）、ディアクティベート（deactivate）などと呼ばれてもよい）してもよい。
【００２７】
ＵＥは、アクティベートされた設定グラントベース送信用のリソース（設定グラントリソース、送信機会（transmission  occasion）などと呼ばれてもよい）を用いて、動的グラント無しでＰＵＳＣＨ送信を行ってもよい。なお、設定グラントベース送信がアクティベート（アクティブ状態である）場合であっても、送信バッファにデータがない場合は、ＵＥは設定グラントベース送信をスキップしてもよい。
【００２８】
なお、動的グラント及び設定グラントのそれぞれは、実際のＵＬグラント（actual  UL  grant）と呼ばれてもよい。つまり、実際のＵＬグラントは、上位レイヤシグナリング（例えば、ＲＲＣのConfiguredGrantConfig情報要素）、物理レイヤシグナリング（例えば、上記所定のアクティベーション信号）又はこれらの組み合わせであってもよい。
【００２９】
ところで、ＵＥは、１つのセル又は１つのＢＷＰ（BandWidth  Part、部分帯域）において、複数の設定グラント（multi  configured  grant）が設定されてもよく、ある期間において、当該複数の設定グラントがトリガ（又はアクティベート）された状態であってもよい。
【００３０】
しかしながら、複数の設定グラント設定のためのパラメータが明らかでない。適切なパラメータを用いて、複数の設定グラントの設定が適切に行われなければ、設定のオーバヘッドの増大、設定グラントに基づく送信の遅延などによって、システム性能が低下するおそれがある。
【００３１】
そこで、本発明者らは、複数の設定グラントの設定のためのパラメータと、そのパラメータを用いた設定方法と、を着想した。
【００３２】
以下、本開示に係る実施形態について、図面を参照して詳細に説明する。各実施形態に係る無線通信方法は、それぞれ単独で適用されてもよいし、組み合わせて適用されてもよい。
【００３３】
以下、「設定グラント」は、「設定グラントの設定（configuration  of  configured  grants）」、「設定グラント設定」、「設定グラント構成」と互いに読み替えられてもよい。また、「設定グラントベース送信を行う設定グラントを決定する」ことは、単に「設定グラントを選択する」と呼ばれてもよい。また、「トラフィック」は、「データ」「ＵＬデータ」及び「トランスポートブロック」の少なくとも１つと互いに読み替えられてもよい。
【００３４】
以下、「キャリア」は、「セル」、「コンポーネントキャリア（ＣＣ）」と互いに読み替えられてもよい。
【００３５】
以下の実施形態は、ＵＬに適用される例について主に説明するが、ＤＬに適用されてもよい。例えば、タイプ２設定グラント（又はタイプ３設定グラント）の動作は、ＰＤＳＣＨ（ＳＰＳ  ＰＤＳＣＨ、下りリンクＳＰＳ）にも適用できる。「設定グラント設定（ConfiguredGrantConfig）」は、「ＳＰＳ設定（SPS-Config）」と読み替えられてもよい。「設定グラントＰＵＳＣＨの送信」は、「ＳＰＳ  ＰＤＳＣＨの受信」と読み替えられてもよい。
【００３６】
以下、「複数のＣＧ設定」は、「１つのＣＧ設定グループ内の複数のＣＧ設定」と互いに読み替えられてもよい。
【００３７】
（無線通信方法）
ＵＥは、与えられたＢＷＰ又はキャリアに対し、複数の設定グラント（ＣＧ）設定（configured  grant  configurations）を設定されてもよい。ＵＥは、上位レイヤシグナリング（例えば、ＲＲＣシグナリング）によってＣＧ設定を通知されてもよい。
【００３８】
ＵＥは、複数のＣＧ設定（タイプ１）を設定された場合、又は複数のＣＧ設定（タイプ２）を設定され、さらにその中の複数のＣＧ設定がアクティベートされた場合、前記複数のＣＧ設定の１つを選択し、選択されたＣＧ設定を用いてＰＵＳＣＨを送信してもよい。
【００３９】
なお、ＵＥは、与えられたＢＷＰ又はキャリアに対し、設定可能なＣＧ設定の数をあらかじめ端末能力情報として基地局に報告するものとしてもよい。ここで、タイプ１のＣＧ設定で設定可能なＣＧ設定の数とタイプ２で設定可能なＣＧ設定の数とを別々に報告してもよい。ＵＥは、ＢＷＰ又はキャリアに対して設定されるＣＧ設定の数は、あらかじめ規定された値、もしくは端末能力情報として基地局に報告した値を上回らないと想定してもよい。
【００４０】
また、タイプ２ＣＧ設定では、ＵＥは、与えられたＢＷＰ又はキャリアに対し、アクティベート可能なＣＧ設定の数をあらかじめ端末能力情報として基地局に報告するものとしてもよい。ＵＥは、ＢＷＰ又はキャリアに対してアクティベートされるＣＧ設定の数は、あらかじめ規定された値、もしくは端末能力情報として基地局に報告した値を上回らないと想定してもよい。
【００４１】
＜ユースケース＞
ＵＥは、複数のＣＧ設定を用いて、次のユースケース１、２を実現できる。
【００４２】
《ユースケース１》
異なるＣＧ設定が、異なるトラフィックタイプ（サービス）に対応してもよい。トラフィックタイプは、通信要件（遅延、誤り率などの要件）、データ種別（音声、データなど）、送信に用いるパラメータ（ＭＣＳ（Modulation  and  Coding  Scheme）テーブル、ＲＮＴＩなど）の少なくとも１つであってもよい。トラフィックタイプは、Ｖ２Ｘ、ＵＲＬＬＣ、ｅＭＭＢ、ｖｏｉｃｅ（音声通信）、などであってもよい。異なるトラフィックタイプ間は、上位レイヤ等で識別されるものとしてもよい。これによって、ＵＥは、異なるトラフィックタイプの送信に異なるＣＧリソースを用いることができる。複数のＣＧ設定の間で、信頼性、遅延などが異なる場合、ＵＥは、トラフィックタイプに適したＣＧ設定を用いることができる。
【００４３】
異なる論理チャネルが異なるＣＧ設定にマップされてもよい。複数のＣＧ設定の間で論理チャネルのマッピングルール（優先順位）が異なってもよい。論理チャネルには、例えば、個別トラフィックチャネル（ＤＴＣＨ：Dedicated  Traffic  Channel）、個別制御チャネル（ＤＣＣＨ：Dedicated  Control  Channel）、共通制御チャネル（ＣＣＣＨ：Common  Control  Channel）、ページング制御チャネル（ＰＣＣＨ：Paging  Control  Channel）、ブロードキャスト制御チャネル（ＢＣＣＨ：Broadcast  Control  Channel）の少なくとも一つが含まれてもよい。複数のＣＧ設定の間で、信頼性、遅延などが異なる場合、ＵＥは、論理チャネルに適したＣＧ設定を用いることができる。
【００４４】
ＵＥは、異なる複数のＣＧ設定を設定されることによって、異なるトラフィックタイプの要件を同時に満たすＣＧ送信を行ってもよい。
【００４５】
図１は、ユースケース１のためのＣＧ設定の一例を示す図である。ＵＥは、ＣＧ設定（設定グラント構成）＃０、＃１を設定される。ＣＧ設定＃０は、音声通信サービス用のタイプ２ＣＧ設定である。ＣＧ設定＃１は、低遅延パケットデータ用のタイプ１ＣＧ設定である。ＣＧ設定＃１の周期は、ＣＧ設定＃０の周期より短くてもよい。
【００４６】
ＵＥは、ＵＬデータが発生すると、ＵＬデータのトラフィックタイプに応じたＣＧ設定を用いてＰＵＳＣＨを送信してもよい。
【００４７】
このような複数の異なるＣＧ設定は、異なるトラフィックタイプに適応することができる。また、複数のＣＧ設定にわたって、ＭＩＭＯ（Multiple  Input  Multiple  Output）、ＭＣＳ、ＲＡ（Random  Access）などのパラメータを独立にすることができる。
【００４８】
《ユースケース２》
ＵＥは、送信開始タイミングが異なる複数のＣＧ設定を設定されることによって、遅延（latency）を削減すると共に、繰り返し送信回数（repetition  K）を確保する。
【００４９】
図２は、ユースケース２のためのＣＧ設定の一例を示す図である。ＵＥは、ＣＧ設定（設定グラント構成）＃０〜＃３を設定される。ＣＧ設定＃０〜＃３の送信タイミングは互いに異なる。
【００５０】
ＣＧ設定＃０〜＃３は、送信タイミング以外に共通の設定を有する。ＧＦ（Grant  Free）周期Ｐが４であるため、ＵＥは４つの送信時間ユニット（例えば、スロット、ミニスロット）毎にＰＵＳＣＨのリソースを割り当てられる。繰り返し因子Ｋは２であるため、ＵＥは２つの送信時間ユニット（Ｋ送信のウィンドウ）にわたって繰り返し送信を行う。
【００５１】
ＵＥは、タイプ１のＣＧ設定＃０〜＃３を上位レイヤシグナリングによって設定される、又は、タイプ２のＣＧ設定＃０〜＃３を上位レイヤシグナリングによって設定され、タイプ２のＣＧ設定＃０〜＃３をＤＣＩによってアクティベートされる。ＵＥは、タイプ１のＣＧ設定＃０〜＃３が設定された状態、又はタイプ２のＣＧ設定＃０〜＃３がアクティベートされた状態において、ＵＬデータの発生を待つ。
【００５２】
ＵＥは、ＵＬデータの発生タイミング又はＵＬデータ送信の準備完了タイミングに応じて、ＣＧ設定＃０〜＃３の中から、任意のＣＧ設定、例えばＵＬデータを最も早く送信できるＣＧ設定を選択し、選択されたＣＧ設定をＰＵＳＣＨ送信に用いてもよい。
【００５３】
例えば、Ｔ１からＴ２までの期間にＵＬデータ送信が発生した、又はＵＬデータ送信の準備が完了した場合、ＵＥは、ＣＧ設定＃３を用いてＵＬデータを送信してもよい。例えば、Ｔ３からＴ４までの期間にＵＬデータ送信が発生した、又はＵＬデータ送信の準備が完了した場合、ＵＥは、ＣＧ設定＃０を用いてＵＬデータを送信してもよい。
【００５４】
もしＵＥがＣＧ設定＃０のみを設定される場合、４つの送信時間ユニットに１つの送信時間ユニットしか送信機会が現れない。２回の繰り返しによって信頼性を向上できるものの、ＣＧ送信の周期を繰り返しの時間長よりも短くすることができないため、ＵＬデータの発生からの送信までのレイテンシは高くなる。一方、ＵＥがＣＧ設定＃０〜＃３を設定される場合、送信機会が増加することによって、ＵＬデータの発生タイミングに関わらず、低遅延の送信リソースを用いることできる。すなわち、ＣＧ設定＃０〜＃３によれば、繰り返しによって信頼性を高めつつ、ＣＧ送信の周期を繰り返しの時間長よりも短くすることと同等の遅延に抑えることができる。
【００５５】
＜ＣＧ設定／ＣＧ設定グループの識別＞
複数のＣＧ設定を識別するために、ＣＧ設定又はＣＧ設定グループが設定インデックスを含んでもよい。ＣＧ設定グループは少なくとも１つのＣＧ設定を含んでもよい。ＣＧ設定グループがＣＧ設定グループインデックスを有し、ＣＧ設定グループ内のＣＧ設定がＣＧ設定を有してもよい。
【００５６】
ＵＥは、ＲＲＣシグナリング等の上位レイヤシグナリングにより、ＣＧ設定グループ（ＣＧ設定セット、ＣＧ設定リスト）を設定されてもよい。
【００５７】
ＵＥは、少なくとも１つのＣＧ設定グループを、上位レイヤシグナリングによって通知されてもよい。ＣＧ設定グループは、１つ以上、複数のＣＧ設定を格納可能なＲＲＣ情報要素（Ｉｎｆｏｒｍａｔｉｏｎ  Ｅｌｅｍｅｎｔ）であってもよい。ＣＧ設定グループは、設定インデックスによって識別されてもよいし、設定グループインデックスによって識別されてもよい。ＣＧ設定グループ内のＣＧ設定は、設定インデックスによって識別されてもよい。
【００５８】
ＣＧ設定グループの最大数と、ＣＧ設定グループ毎のＣＧ設定の最大数、すべてのＣＧ設定グループに含まれるすべてのＣＧ設定の最大数と、の少なくとも１つは、仕様に規定されてもよいし、ＵＥから報告される端末能力情報に基づいてもよい。
【００５９】
＜タイプ２ＣＧ設定のアクティベーション／ディアクティベーション＞
与えられたＢＷＰ又はキャリアに対し、特定ＲＮＴＩによってスクランブルされたＣＲＣを有する１以上のＤＣＩが、複数のタイプ２ＣＧ設定をアクティベート又はディアクティベートしてもよい。ＵＥは、与えられたＢＷＰ又はキャリアに対し、特定ＲＮＴＩによってスクランブルされたＣＲＣを有するＤＣＩであって、１以上のタイプ２ＣＧ設定をアクティベート又はディアクティベートするＤＣＩを受信してもよい。特定ＲＮＴＩは、ＣＳ（Configured  Scheduling）−ＲＮＴＩであってもよい。
【００６０】
複数のＤＣＩが複数のタイプ２ＣＧ設定をそれぞれアクティベートしてもよい。この場合、当該複数のＤＣＩのＣＲＣのスクランブルにそれぞれ用いられる複数の特定ＲＮＴＩが同じであってもよいし、異なってもよい。
【００６１】
１つのＤＣＩが複数のタイプ２ＣＧ設定を含む１つのＣＧ設定グループをアクティベートしてもよい。この場合、当該ＣＧ設定グループが、アクティベートのためのＤＣＩのＣＲＣのスクランブルに用いられる１つの特定ＲＮＴＩを含んでもよい。
【００６２】
＜複数のＣＧ設定の共通パラメータ＞
与えられたＢＷＰ又はキャリアにおいて、複数のＣＧ設定（又は１つのＣＧ設定グループ内の複数のＣＧ設定）内の少なくとも１つのパラメータ値が共通であってもよい。ＵＥは、与えられたＢＷＰ又はキャリアにおいて、複数のＣＧ設定の共通（common）パラメータ（共通ＣＧ設定）と、各ＣＧ設定の独立（separate）パラメータ（独立ＣＧ設定）と、を設定されてもよい。ＵＥは、共通パラメータをＲＲＣ（Radio  Resource  Control）シグナリング、ＭＡＣ  ＣＥ、ＤＣＩの少なくとも１つによって通知されてもよい。ＵＥは、個別パラメータをＲＲＣシグナリング、ＭＡＣ  ＣＥ、ＤＣＩの少なくとも１つによって通知されてもよい。
【００６３】
共通パラメータは、繰り返し因子Ｋ、ＭＣＳテーブル、変換プリコーディング、リソース割り当て（周波数ドメインリソース割り当てのリソース割り当てタイプやリソースブロックグループ粒度及び実際のリソース割り当て、時間ドメインリソース割り当て）、などであってもよい。
【００６４】
ユースケース２のために、ＵＥは、複数のＣＧ設定のそれぞれによって、異なる開始タイミングを有する繰り返しを設定されてもよい。ＵＥは、共通パラメータ（周期、時間長、繰り返し因子など）と、ＣＧ設定毎に異なる独立パラメータ（時間オフセット（送信開始タイミング、送信オケージョン（機会）））と、を少なくとも有する複数のＣＧ設定を設定されてもよい。
【００６５】
（態様１）
複数のＣＧ設定をサポートするためのパラメータが規定されてもよい。このパラメータは、ユースケース２のために用いられてもよい。ＵＥは、このパラメータを含む設定情報を受信してもよい。設定情報は、上位レイヤシグナリング（ＰＵＳＣＨ設定情報（PUSCH-Config）、設定グラント設定情報（ConfiguredGrantConfig）など）、ＭＡＣ  ＣＥ、ＤＣＩの少なくとも１つであってもよい。
【００６６】
パラメータは、次のパラメータ１〜３の少なくとも１つであってもよい。
【００６７】
＜パラメータ１＞
ＵＥは、少なくとも１つのＣＧ設定（又は１つのＣＧ設定グループ内の少なくとも１つのＣＧ設定）に対して、ＨＡＲＱプロセスＩＤの導出のためのＨＡＲＱプロセスＩＤオフセット（例えば、harq-ProcID-offset）を設定されてもよい。
【００６８】
ＵＥは、ＲＲＣシグナリングによってＨＡＲＱプロセスＩＤオフセットを通知されてもよいし、ＭＡＣ  ＣＥによってＨＡＲＱプロセスＩＤオフセットを通知されてもよいし、ＤＣＩ（例えば、タイプ２ＣＧのアクティベーション用のＤＣＩ）によってＨＡＲＱプロセスＩＤオフセットを通知されてもよい。
【００６９】
複数のＣＧ設定のそれぞれが、ＨＡＲＱプロセスＩＤオフセットを含んでもよい。１つのＣＧ設定グループ内の複数のＣＧ設定のそれぞれが、ＨＡＲＱプロセスＩＤオフセットを含んでもよい。１つのＣＧ設定グループが、当該ＣＧ設定グループ内の複数のＣＧ設定に共通の１つのＨＡＲＱプロセスＩＤオフセットを含んでもよい。
【００７０】
ＵＥは、ＣＧ送信の時間リソース（時間ユニット番号）に基づくＨＡＲＱプロセスＩＤを決定してもよい。時間ユニットは、ＴＴＩ（Transmission  Time  Interval、サブフレーム）、ｓＴＴＩ（short  TTI、スロット、サブスロット、ミニスロット）、ＯＦＤＭシンボルなどであってもよい。
【００７１】
ＵＥがＣＧ設定に対するＨＡＲＱプロセスＩＤオフセットを設定されない場合、ＵＥは、時間ユニット番号、ＵＬ送信間隔、ＨＡＲＱプロセス数、などに基づいて、ＣＧ設定に対するＨＡＲＱプロセスＩＤを決定してもよい。
【００７２】
時間ユニット番号は、ＴＴＩ番号（CURRENT_TTI）などであってもよい。ＵＬ送信間隔は、ＵＬセミパーシステントスケジューリング（ＣＧ送信）間隔（semiPersistSchedIntervalUL）、ｓＴＴＩ用のＵＬセミパーシステントスケジューリング（ＣＧ送信）間隔（semiPersistSchedIntervalUL-STTI）などであってもよい。ＨＡＲＱプロセス数は、ＵＬセミパーシステントスケジューリング（ＣＧ）用に設定されたＨＡＲＱプロセス数（numberOfConfUlSPS-Processes）、ｓＴＴＩ用のＵＬセミパーシステントスケジューリング（ＣＧ）用に設定されたＨＡＲＱプロセス数（numberOfConfUl-SPS-Processes-STTI）などであってもよい。
【００７３】
例えば、ＵＥがＣＧ設定に対するＨＡＲＱプロセスＩＤオフセットを設定されない場合、ＵＥは、ＨＡＲＱプロセスＩＤを次式のように求めてもよい。
【００７４】
ＴＴＩがサブフレームＴＴＩである場合：
ＨＡＲＱプロセスＩＤ  =  [floor(CURRENT_TTI/semiPersistSchedIntervalUL)]  modulo  numberOfConfUlSPS-Processes
ここで、CURRENT_TTI  =  [(SFN*10)  +  subframe  number]
そうでない場合：
ＨＡＲＱプロセスＩＤ  =  [floor(CURRENT_TTI/semiPersistSchedIntervalUL-sTTI)]  modulo  numberOfConfUlSPS-Processes-sTTI
ここで、CURRENT_TTI  =  [(SFN*10*sTTI_Number_Per_Subframe)  +  subframe  number*sTTI_Number_Per_Subframe  +  sTTI_number]
【００７５】
ＵＥがＣＧ設定に対するＨＡＲＱプロセスＩＤオフセットを設定された場合、ＵＥは、時間ユニット番号、ＵＬ送信間隔、ＨＡＲＱプロセス数、ＨＡＲＱプロセスＩＤオフセット、などに基づいて、ＣＧ設定に対するＨＡＲＱプロセスＩＤを決定してもよい。例えば、ＵＥは、ＨＡＲＱプロセスＩＤを次式のように求めてもよい。
【００７６】
ＴＴＩがサブフレームＴＴＩである場合：
ＨＡＲＱプロセスＩＤ  =  [floor(CURRENT_TTI/semiPersistSchedIntervalUL)]  modulo  numberOfConfUlSPS-Processes  +  harq-ProcID-offset
ここで、CURRENT_TTI  =  [(SFN*10)  +  subframe  number]
そうでない場合：
ＨＡＲＱプロセスＩＤ  =  [floor(CURRENT_TTI/semiPersistSchedIntervalUL-sTTI)]  modulo  numberOfConfUlSPS-Processes-sTTI  +  harq-ProcID-offset
ここで、CURRENT_TTI  =  [(SFN*10*sTTI_Number_Per_Subframe)  +  subframe  number*sTTI_Number_Per_Subframe  +  sTTI_number]
【００７７】
ユースケース２において、ＵＥが、送信タイミングが異なる複数のＣＧ設定に対し、送信タイミングの違いを相殺するＨＡＲＱプロセスＩＤオフセットを設定されてもよい。この場合、ＵＥは、複数のＣＧ設定に対して同じＨＡＲＱプロセスＩＤを用いることができる。ＵＥは、実際のＰＵＳＣＨ送信に用いられる送信タイミングに関わらず、同じＨＡＲＱプロセスを用いて管理することができる。
【００７８】
ユースケース２において、ＵＥが、送信タイミングが異なる複数のＣＧ設定に対し、ＨＡＲＱプロセスＩＤオフセットを設定されなくてもよいし、同じＨＡＲＱプロセスＩＤオフセットを設定されてもよい。この場合、ＵＥは、複数のＣＧ設定に対して異なるＨＡＲＱプロセスＩＤを用いることができる。
【００７９】
＜パラメータ２＞
ＵＥは、少なくとも１つのＣＧ設定（又は１つのＣＧ設定グループ内の少なくとも１つのＣＧ設定）に対してＰＵＳＣＨの送信開始時間の導出のための開始時間オフセットを設定されてもよい。
【００８０】
ＵＥは、ユースケース２用に開始時間オフセットを設定されてもよいし、タイプ２ＣＧ用に開始時間オフセットを設定されてもよい。
【００８１】
ＵＥは、ＲＲＣシグナリングによって開始時間オフセットを通知されてもよいし、ＭＡＣ  ＣＥによって開始時間オフセットを通知されてもよいし、ＤＣＩ（例えば、タイプ２ＣＧのアクティベーション用のＤＣＩ）によって開始時間オフセットを通知されてもよい。
【００８２】
複数のＣＧ設定のそれぞれが、開始時間オフセットを含んでもよい。１つのＣＧ設定グループ内の複数のＣＧ設定のそれぞれが、開始時間オフセットを含んでもよい。１つのＣＧ設定グループが、当該ＣＧ設定グループ内の複数のＣＧ設定に共通の１つの開始時間オフセットを含んでもよい。
【００８３】
例えば、ＵＥは、上位レイヤシグナリングによって４つのタイプ２ＣＧ設定を設定され、４つのＣＧ設定を同時にアクティベートする１つのＤＣＩを受信してもよい。
【００８４】
ＤＣＩは、時間ドメインリソース割り当てフィールド（Time  domain  resource  assignment  field）を含んでもよい。時間ドメインリソース割り当てフィールドの値ｍが、ＰＵＳＣＨ時間ドメインリソース割り当てテーブルの行インデックスｍ＋１を提供してもよい。言い換えれば、時間ドメインリソース割り当てフィールドの値０，１，…が、ＰＵＳＣＨ時間ドメインリソース割り当てテーブルの行インデックス１，２，…を示してもよい。ＰＵＳＣＨ時間ドメインリソース割り当てテーブルは、上位レイヤシグナリングによってＵＥに設定されてもよいし、仕様に規定されてもよい。
【００８５】
ＰＵＳＣＨ時間ドメインリソース割り当てテーブルの各行は、スロットオフセットＫ２と、開始及び長さの指示値（Start  and  Length  Indicator  Value：ＳＬＩＶ）、開始時間（例えば、開始シンボルＳ）、割り当て長（duration、例えば、シンボル数Ｌ）、ＰＵＳＣＨマッピングタイプ、の少なくとも１つを含んでもよい。
【００８６】
Ｋ２は、スケジューリングＤＣＩを有するスロットに対するＰＵＳＣＨ送信のスロットのスロットオフセットであってもよい。開始シンボルＳは、ＰＵＳＣＨのスロットの開始からのＰＵＳＣＨの開始シンボルであってもよい。シンボル数Ｌは、開始シンボルＳからの連続シンボル数であってもよい。ＰＵＳＣＨマッピングタイプは、タイプＡ又はタイプＢを示してもよい。
【００８７】
ここで、時間ドメインリソース割り当てフィールドによって決まる開始タイミング（例えば、スロット）をＴとする。
【００８８】
ＵＥは、Ｎ個のＣＧ設定に対する開始時間オフセットとして、delta0，delta1，…delta(N-1)をそれぞれ設定されてもよい。
【００８９】
例えば、ＵＥは、４つのＣＧ設定に対する開始時間オフセットとして、delta0、delta1、delta2、delta3をそれぞれ設定される。この場合、１番目のＣＧ設定に基づくＰＵＳＣＨの開始タイミングがＴ＋delta0であってもよく、２番目のＣＧ設定に基づくＰＵＳＣＨの開始タイミングがＴ＋delta1であってもよく、３番目のＣＧ設定に基づくＰＵＳＣＨの開始タイミングがＴ＋delta2であってもよく、４番目のＣＧ設定に基づくＰＵＳＣＨの開始タイミングがＴ＋delta3であってもよい。
【００９０】
ＵＥは、１つのＣＧ設定グループに対する開始時間オフセットを設定されてもよい。
【００９１】
例えば、ＵＥは、４つのＣＧ設定を含む１つのＣＧ設定グループを設定され、ＵＥは、１つのＣＧ設定グループに対する開始時間オフセットdeltaを設定される。この場合、１番目のＣＧ設定に基づくＰＵＳＣＨの開始タイミングがＴであってもよく、２番目のＣＧ設定に基づくＰＵＳＣＨの開始タイミングがＴ＋deltaであってもよく、３番目のＣＧ設定に基づくＰＵＳＣＨの開始タイミングがＴ＋2*deltaであってもよく、４番目のＣＧ設定に基づくＰＵＳＣＨの開始タイミングがＴ＋3*deltaであってもよい。
【００９２】
また、例えば、４つのＣＧ設定に対してＣＧ設定インデックス０，１，２，３がそれぞれ与えられ、各ＣＧ設定の開始タイミングがＴ＋delta*ＣＧ設定インデックスであってもよい。この場合、１番目のＣＧ設定（ＣＧ設定インデックス＝０）に基づくＰＵＳＣＨの開始タイミングがＴ＋delta*0であってもよく、２番目のＣＧ設定（例えば、ＣＧ設定インデックス＝１）に基づくＰＵＳＣＨの開始タイミングがＴ＋delta*1であってもよく、３番目のＣＧ設定（例えば、ＣＧ設定インデックス＝２）に基づくＰＵＳＣＨの開始タイミングがＴ＋delta*2であってもよく、４番目のＣＧ設定（例えば、ＣＧ設定インデックス＝３）に基づくＰＵＳＣＨの開始タイミングがＴ＋delta*3であってもよい。
【００９３】
ＵＥが、ユースケース２のための複数のＣＧ設定の間で、ＣＧ設定の少なくとも一部のパラメータを共通にする場合であっても、開始時間オフセットを通知されることによって、各ＣＧ設定に基づくＰＵＳＣＨの開始タイミングを異ならせることができる。
【００９４】
開始時間オフセットを用いることによって、ＣＧ設定のための時間ドメイン割り当てのパラメータ（上位レイヤパラメータtimeDomainOffset、timeDomainAllocation、ＤＣＩ内の時間ドメインリソース割り当てフィールド）を、複数のＣＧ設定の間で共通にすることができる。
【００９５】
複数のＣＧ設定のそれぞれが開始時間オフセットを含む場合、他のパラメータを複数のＣＧ設定の間で共通にすることにより、当該パラメータの設定のオーバヘッドを抑えることができる。
【００９６】
１つのＣＧ設定グループが１つの開始時間オフセットを含む場合、複数の開始時間オフセットを設定する必要がないため、開始時間オフセットの設定のオーバヘッドを抑えることができる。
【００９７】
＜パラメータ３＞
ＵＥは、少なくとも１つのＣＧ設定（又は１つのＣＧ設定グループ内の少なくとも１つのＣＧ設定）に対して、送信電力制御（ＴＰＣ）の識別のためのＴＰＣインデックスを設定されてもよい。
【００９８】
ＵＥは、ＲＲＣシグナリングによってＴＰＣインデックスを通知されてもよいし、ＭＡＣ  ＣＥによってＴＰＣインデックスを通知されてもよいし、ＤＣＩ（例えば、タイプ２ＣＧのアクティベーション用のＤＣＩ）によってＴＰＣインデックスを通知されてもよい。
【００９９】
複数のＣＧ設定のそれぞれが、同じＴＰＣインデックスを含んでもよい。１つのＣＧ設定グループ内の複数のＣＧ設定のそれぞれが、同じＴＰＣインデックスを含んでもよい。１つのＣＧ設定グループが、当該ＣＧ設定グループ内の複数のＣＧ設定に共通の、１つのＴＰＣインデックスを含んでもよい。
【０１００】
更に、ＰＵＣＣＨ又はＰＵＳＣＨのためのＴＰＣコマンドの送信に用いられる特定ＤＣＩフォーマット（例えば、ＤＣＩフォーマット２＿２）が、ＴＰＣインデックスを含んでもよい。特定ＤＣＩフォーマットは、特定ＲＮＴＩ（例えば、TPC-PUSCH-RNTI、TPC-PUCCH-RNTI）によってスクランブルされたＣＲＣを有するＤＣＩフォーマットであってもよい。特定ＤＣＩフォーマット内のＴＰＣインデックスは、当該特定ＤＣＩフォーマット内のＴＰＣコマンドがどのＣＧ設定又はどのＣＧ設定グループに適用されるかを示してもよい。
【０１０１】
ＵＥは、１つのサービングセルに対する複数のＣＧ設定を設定され、複数のＣＧ設定に共通の１つのＴＰＣインデックスを設定され、当該ＴＰＣインデックスを含む特定ＤＣＩフォーマットを受信してもよい。この場合、ＵＥは、当該ＴＰＣインデックスに対応するＣＧ設定に基づくＰＵＳＣＨ送信に対し、当該特定ＤＣＩフォーマット内のＴＰＣコマンドを適用してもよい。
【０１０２】
ＵＥは、ＴＰＣインデックスを含む特定ＤＣＩフォーマットを受信した場合、当該ＴＰＣインデックスに対応する複数のＣＧ設定のうち、１つのサービングセルの１つのＴＲＰに関する全てのＣＧ設定に基づくＰＵＳＣＨ送信に対し、当該特定ＤＣＩフォーマット内のＴＰＣコマンドを適用してもよい。
【０１０３】
ユースケース２においてＵＥは、送信機会を増やすために複数のＣＧ設定を設定されるため、複数のＣＧ設定に対して独立に送信電力制御を行う必要がない。
【０１０４】
複数のＣＧ設定に対する１つのＴＰＣインデックスを設定することによって、複数のＣＧ設定に同じＴＰＣコマンドを適用することができ、ＴＰＣコマンド（ＤＣＩ）のオーバヘッドを抑えることができる。
【０１０５】
なお、ＴＰＣインデックスが設定インデックスであってもよい。この場合、ＵＥは、受信した特定ＤＣＩフォーマット内の設定インデックスに対応するＣＧ設定に基づくＰＵＳＣＨ送信に対し、当該特定ＤＣＩフォーマット内のＴＰＣコマンドを適用してもよい。
【０１０６】
なお、ＴＰＣインデックスの代わりに、特定ＲＮＴＩ（例えば、TPC-PUSCH-RNTI）が用いられてもよい。例えば、ＵＥは、１つのサービングセルに対する複数のＣＧ設定を設定され、複数のＣＧ設定に共通の１つの特定ＲＮＴＩを設定され、特定ＲＮＴＩを用いてスクランブルされたＣＲＣを有する特定ＤＣＩフォーマットを受信してもよい。この場合、ＵＥは、当該特定ＲＮＴＩに対応するＣＧ設定に基づくＰＵＳＣＨ送信に対し、当該特定ＤＣＩフォーマット内のＴＰＣコマンドを適用してもよい。
【０１０７】
（態様２）
ＵＥは、複数のＣＧ設定の間で共通（common）のパラメータ（共通パラメータ）を設定されてもよいし、複数のＣＧ設定の間で独立（separate）のパラメータ（独立パラメータ）を設定されてもよい。ユースケース２用のＣＧ設定が、共通パラメータを含んでもよい。
【０１０８】
ＰＵＳＣＨ用のデータスクランブリングを初期化に用いられる識別子を示すdataScramblingIdentityPUSCH、ＵＥがコードブックベース送信及びノンコードブックベース送信のいずれを用いるかを示すtxConfig、ＴＭＰＩ（Transmitted  Precoding  Matrix  Indicator）によって扱われるＰＭＩのサブセットを示すcodebookSubset、ＴＲＩ（Transmitted  Rank  Indicator）によって使われるＰＭＩのサブセットを示すmaxRank、rbg-Size、frequencyHopping、resourceAllocation、ＵＬデータへのＵＬ割り当てのタイミング用の時間ドメイン割り当てのリストを示すpusch-TimeDomainAllocationList、データの繰り返し数を示すpusch-AggregationFactor（repK）、用いられる冗長バージョン（Redundancy  Version：ＲＶ）を示すrepK-RV、ＵＥが変換プリコーディング（transform  precoding、ＤＦＴ−ｓ−ＯＦＤＭ）無しのＰＵＳＣＨに用いるＭＣＳテーブルを示すmcs-Table、ＵＥが変換プリコーディング有りのＰＵＳＣＨに用いるＭＣＳテーブルを示すmcs-TableTransformPrecoder、タイプ１及びタイプ２用の変換プリコーディングを有効化するか否かを示すtransformPrecoder、変換プリコーディングを伴うπ／２−ＢＰＳＫの有効化を示すtp-pi2BPSK、ダイナミック及びセミスタティックのベータオフセットの選択を示すuci-OnPUSCH（CG-UCI-OnPUSCH）、ＵＣＩ  ｏｎ  ＰＵＳＣＨに割り当てられたリソースエレメント数を制限するスケーリングファクタを示すscaling、設定されたＨＡＲＱプロセス数を示すnrofHARQ-Processes、タイプ１及びタイプ２に対するＵＬグラント無しのＵＬ送信用の周期を示すperiodicity、設定グラントタイマの初期値を示すconfiguredGrantTimer、開始シンボル及び長さ及びＰＵＳＣＨマッピングタイプの組み合わせを示すtimeDomainAllocation、ＰＲＢ（Physical  Resource  Block）内の周波数ドメイン割り当てを示すfrequencyDomainAllocation、変調次数及び目標符号化率及びトランスポートブロック（ＴＢ）サイズを示すmcsAndTBS、与えられた周波数ホッピングオフセットを有するスロット内（intra-slot）周波数オフセットの有効化を示すfrequencyHoppingOffsetLists（frequencyHoppingOffset）、ＵＥが累積を介してＴＰＣコマンドを適用することの有効化を示すtpc-Accumulation、ＵＬグラントフリーベースのＰＵＳＣＨ用のＰ０値を示すp0-NominalWithoutGrant、この設定に用いられるP0-PUSCH-AlphaSetのインデックスを示すP0-PUSCH-Alpha、適用する閉制御ループを示すpowerControlLoopToUse、ＰＵＳＣＨパスロス推定に用いられる参照信号のセットを示すPUSCH-PathlossReferenceRS、デルタＭＣＳを適用するかを示すdeltaMCS、１つのＳＲＩ（SRS  Resource  Indicator）に関連付けられたＰＵＳＣＨ電力制御パラメータのセットを示すSRI-PUSCH-PowerControlは、複数のＣＧ設定の間で異なる必要がないため、共通（common）パラメータとして設定されてもよい。
【０１０９】
ＰＵＳＣＨ用のＵＬ  ＤＭＲＳの設定を示すDMRS-UplinkConfig（cg-DMRS-Configuration）、この設定に用いられるアンテナポートを示すantennaPort、tranformPrecoderが無効である場合に設定されるdmrs-SeqInitialization、プリコーディング及びレイヤ数に関するprecodingAndNumberOfLayers、用いられるＳＲＳリソースを示すsrs-ResourceIndicatorは、複数のＣＧ設定の間で値が異なる可能性があるため、独立（separate）パラメータとして設定されてもよい。
【０１１０】
例えば、DMRS-UplinkConfigは、送信タイミングに応じて、挿入すべきＤＭＲＳの位置、数が異なる可能性があるため、独立パラメータであることが好ましい。
【０１１１】
ＳＦＮ（System  Frame  Number）＝０に関するオフセット（スロットオフセット）を示すtimeDomainOffsetは、タイプ１ＣＧ設定において独立パラメータとして設定されてもよい。また、timeDomainOffsetは、タイプ２ＣＧ設定において共通パラメータとして設定されてもよい。この場合、timeDomainOffset（スロットオフセット）及びtimeDomainAllocation（シンボルオフセット）が共通パラメータであってもよい。ＵＥは、開始時間オフセットに基づいて、複数のタイプ２ＣＧ設定にそれぞれ基づく複数のＰＵＳＣＨ送信の送信開始タイミングを異ならせてもよい。
【０１１２】
ＲＮＴＩ、ＴＰＣインデックス（TPC  index）は、複数のＣＧ設定の間で異なる必要がないため、共通パラメータとして設定されてもよい。
【０１１３】
設定インデックス（Configuration  index）、ＨＡＲＱプロセスＩＤオフセット（HARQ  Process  ID  offset）、開始時間オフセット（Start  time  offset）は、独立パラメータとして設定されてもよいし、共通パラメータとして設定されてもよい。
【０１１４】
例えば、設定インデックスが独立パラメータである場合、ＵＥは、ＣＧ設定によって異なる他の独立パラメータを設定されることができる。例えば、設定インデックスが共通パラメータである場合、ＵＥは、ＣＧ設定グループを設定でき、ＣＧ設定グループに含まれる複数のＣＧ設定に対して共通パラメータを設定できる。
【０１１５】
例えば、ＨＡＲＱプロセスＩＤオフセットを複数のＣＧ設定に独立に設定することによって、異なる送信タイミングを有する複数のＣＧ設定に対するＨＡＲＱプロセスＩＤを等しくすることができる。例えば、ＨＡＲＱプロセスＩＤオフセットを複数のＣＧ設定に共通に設定することによって、異なる送信タイミングを有する複数のＣＧ設定に対するＨＡＲＱプロセスＩＤを異ならせることができる。
【０１１６】
例えば、開始時間オフセットを複数のＣＧ設定に独立に設定することによって、複数のＣＧ設定に対して異なる送信タイミングを設定できる。例えば、開始時間オフセットを複数のＣＧ設定に共通に設定することによって、複数のＣＧ設定に対して等間隔の異なる送信タイミングを設定できる。
【０１１７】
図３及び図４は、共通パラメータ及び独立パラメータの一例を示す図である。
【０１１８】
dataScramblingIdentityPUSCH、txConfig、codebookSubset、maxRank、pusch-TimeDomainAllocationList、scalingは、ＰＵＳＣＨ設定情報（PUSCH-Config）に含まれてもよい。
【０１１９】
rbg-Size、frequencyHopping、resourceAllocation、pusch-AggregationFactor、repK-RV、mcs-Table、mcs-TableTransformPrecoder、transformPrecoder、uci-OnPUSCH、nrofHARQ-Processes、periodicity、configuredGrantTimer、frequencyHoppingOffsetLists、P0-PUSCH-Alpha、powerControlLoopToUseに含まれてもよい。
【０１２０】
timeDomainOffset、timeDomainAllocation、frequencyDomainAllocation、antennaPort、dmrs-SeqInitialization、precodingAndNumberOfLayers、srs-ResourceIndicator、mcsAndTBSは、ＣＧ設定情報内のタイプ１ＣＧ設定情報（rrc-ConfiguredUplinkGrant）に含まれてもよいし、タイプ２ＣＧ用のアクティベーションＤＣＩに含まれてもよい。
【０１２１】
p0-NominalWithoutGrantは、ＰＵＳＣＨ設定情報内のＰＵＳＣＨ電力制御情報（PUSCH-PowerControl）に含まれてもよい。
【０１２２】
PUSCH-PathlossReferenceRS（pathlossReferenceIndex）は、ＣＧ設定情報内のタイプ１ＣＧ設定情報に含まれてもよいし、タイプ２ＣＧ用にＰＵＳＣＨ設定情報内のＰＵＳＣＨ電力制御情報に含まれてもよい。SRI-PUSCH-PowerControl（srs-ResourceIndicator）は、ＣＧ設定情報内のタイプ１ＣＧ設定情報に含まれてもよいし、タイプ２ＣＧ用にＰＵＳＣＨ設定情報内のＰＵＳＣＨ電力制御情報に含まれ、ＤＣＩ内のＳＲＩフィールドによって指示されてもよい。
【０１２３】
tp-pi2BPSK、tpc-Accumulation、deltaMCSは、ＵＥ個別に設定されなくてもよい。
【０１２４】
ＵＥが複数のＣＧ設定に対する共通パラメータを設定されることによって、複数のＣＧ設定のオーバヘッドを抑えることができる。ＵＥは、ユースケース２のように送信タイミングのみが異なる複数のＣＧ設定を設定される場合、複数のＣＧ設定（ＣＧ設定グループ）における共通パラメータを用いることができる。
【０１２５】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１２６】
図５は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【０１２７】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビティ（ＥＮ−ＤＣ：E-UTRA-NR  Dual  Connectivity）、ＮＲとＬＴＥとのデュアルコネクティビティ（ＮＥ−ＤＣ：NR-E-UTRA  Dual  Connectivity）などを含んでもよい。
【０１２８】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１２９】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【０１３０】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１３１】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（ＣＡ：Carrier  Aggregation）及びデュアルコネクティビティ（ＤＣ）の少なくとも一方を利用してもよい。
【０１３２】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１３３】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【０１３４】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【０１３５】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【０１３６】
ユーザ端末２０は、ＬＴＥ、ＬＴＥ−Ａ、５Ｇなどの通信方式の少なくとも１つに対応した端末であってもよい。
【０１３７】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０１３８】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１３９】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０１４０】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０１４１】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０１４２】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０１４３】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１４４】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１４５】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１４６】
ＰＵＣＣＨによって、チャネル状態情報（ＣＳＩ：Channel  State  Information）、送達確認情報（例えば、ＨＡＲＱ−ＡＣＫ（Hybrid  Automatic  Repeat  reQuest  ACKnowledgement）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０１４７】
なお、本開示において下りリンク、上りリンクなどは「リンク」を付けずに表現されてもよい。また、各種チャネルの先頭に「物理（Physical）」を付けずに表現されてもよい。
【０１４８】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０１４９】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０１５０】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０１５１】
（基地局）
図６は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１５２】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１５３】
制御部１１０は、基地局１０全体の制御を実施する。制御部１１０は、本開示に係る技術分野での共通認識に基づいて説明されるコントローラ、制御回路などから構成することができる。
【０１５４】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１５５】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１５６】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１５７】
送受信アンテナ１３０は、本開示に係る技術分野での共通認識に基づいて説明されるアンテナ、例えばアレイアンテナなどから構成することができる。
【０１５８】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１５９】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１６０】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０１６１】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０１６２】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１６３】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１６４】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１６５】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０１６６】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１６７】
なお、本開示における基地局１０の送信部及び受信部は、送受信部１２０、送受信アンテナ１３０及び伝送路インターフェース１４０の少なくとも１つによって構成されてもよい。
【０１６８】
なお、送受信部１２０は、上位レイヤシグナリングによって、複数の設定グラント設定をユーザ端末２０へ送信してもよい。また、送受信部１２０は、設定グラント設定のアクティベーション又はディアクティベーションのための下り制御情報又はＭＡＣ  ＣＥを送信してもよい。
【０１６９】
（ユーザ端末）
図７は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１７０】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１７１】
制御部２１０は、ユーザ端末２０全体の制御を実施する。制御部２１０は、本開示に係る技術分野での共通認識に基づいて説明されるコントローラ、制御回路などから構成することができる。
【０１７２】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１７３】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１７４】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１７５】
送受信アンテナ２３０は、本開示に係る技術分野での共通認識に基づいて説明されるアンテナ、例えばアレイアンテナなどから構成することができる。
【０１７６】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１７７】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１７８】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１７９】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１８０】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１８１】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１８２】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１８３】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１８４】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１８５】
なお、本開示におけるユーザ端末２０の送信部及び受信部は、送受信部２２０、送受信アンテナ２３０及び伝送路インターフェース２４０の少なくとも１つによって構成されてもよい。
【０１８６】
また、送受信部２２０は、複数の設定グラント設定に関する設定情報であって、上りデータのＨＡＲＱ（Hybrid  Automatic  Repeat  reQuest）プロセスＩＤの導出のためのＨＡＲＱプロセスＩＤオフセット、前記上りデータの送信開始時間の導出のための開始時間オフセット、及び前記上りデータの送信電力制御（ＴＰＣ）の識別のためのＴＰＣインデックス、の少なくとも１つを含む前記設定情報（上位レイヤシグナリング（ＰＵＳＣＨ設定情報、設定グラント設定情報など）、ＭＡＣ  ＣＥ、ＤＣＩの少なくとも１つ）を受信してもよい。制御部２１０は、前記設定情報に基づいて、前記複数の設定グラント設定のうち、上りデータの発生タイミングに基づく１つの設定グラント設定を、前記上りデータの送信（ＰＵＳＣＨ送信）に用いてもよい。
【０１８７】
また、前記設定情報は、前記複数のグラント設定に共通のパラメータと、前記複数の設定グラント設定に独立のパラメータと、を含んでもよい。
【０１８８】
また、前記設定情報は、前記複数の設定グラント設定のそれぞれのための異なるＨＡＲＱプロセスＩＤオフセットを含んでもよい。
【０１８９】
また、前記設定情報は、前記複数の設定グラント設定のそれぞれのための異なる開始時間オフセットと、前記複数の設定グラント設定のための１つの開始時間オフセットと、のいずれかを含んでもよい。
【０１９０】
また、前記設定情報は、前記複数の設定グラント設定にそれぞれ対応する複数の同じＴＰＣインデックスと、前記複数の設定グラント設定のための１つのＴＰＣインデックスと、のいずれかを含んでもよい。前記制御部２１０は、下り制御情報に含まれるＴＰＣインデックスに対応する設定グラント設定に、前記下り制御情報に含まれるＴＰＣコマンドを適用してもよい。
【０１９１】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１９２】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１９３】
例えば、本開示の一実施形態における基地局、ユーザ端末などは、本開示の無線通信方法の処理を行うコンピュータとして機能してもよい。図８は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９４】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１９５】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１９６】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１９７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０１９８】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１９９】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２００】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２０１】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２０２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２０３】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２０４】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２０５】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２０６】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２０７】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２０８】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２０９】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２１０】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２１１】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２１２】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２１３】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２１４】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２１５】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２１６】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２１７】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２１８】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２１９】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２２０】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２２１】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２２２】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２２３】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２２４】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２２５】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２２６】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２２７】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２２８】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２２９】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２３０】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２３１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０２３２】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２３３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２３４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２３５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２３６】
本開示において使用する「システム」及び「ネットワーク」という用語は、互換的に使用され得る。「ネットワーク」は、ネットワークに含まれる装置（例えば、基地局）のことを意味してもよい。
【０２３７】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２３８】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２３９】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２４０】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２４１】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２４２】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２４３】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２４４】
同様に、本開示におけるユーザ端末は、基地局で読み替えてもよい。この場合、上述のユーザ端末２０が有する機能を基地局１０が有する構成としてもよい。
【０２４５】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２４６】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２４７】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２４８】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２４９】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２５０】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２５１】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２５２】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２５３】
また、「判断（決定）」は、「想定する（assuming）」、「期待する（expecting）」、「みなす（considering）」などで読み替えられてもよい。
【０２５４】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２５５】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２５６】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２５７】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２５８】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２５９】
本開示において、例えば、英語でのa,  an及びtheのように、翻訳によって冠詞が追加された場合、本開示は、これらの冠詞の後に続く名詞が複数形であることを含んでもよい。
【０２６０】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020090091.tif 000003
【図２】
2020090091.tif 000004
【図３】
2020090091.tif 000005
【図４】
2020090091.tif 000006
【図５】
2020090091.tif 000007
【図６】
2020090091.tif 000008
【図７】
2020090091.tif 000009
【図８】
2020090091.tif 000010
【国際調査報告】
2020090091.tif 000011
2020090091.tif 000012
2020090091.tif 000013